(57)【要約】  【課題】  情報端末装置における電子メールの返信忘れを防止可能な技術を提供する。  【解決手段】  メールアドレスとメールアドレス毎の設定を登録し、メール送信後に、宛先メールアドレスをキーに、該登録した設定を参照し、メール送信した送信先メールアドレスの設定条件に一致する過去の受信メールを読み出して画面に一覧表示する。返信処理は、表示された一覧より任意のメールを選択することにより行う。【選択図】  図７
2005258790.tif 000002
【特許請求の範囲】
【請求項１】
電子メールを送受信可能な情報端末装置であって、
受信した電子メール及び送信した電子メールを記憶する記憶手段と、
メールアドレス及び該メールアドレス毎の設定情報を登録可能な設定情報登録手段と、
メール送信処理後、上記設定情報登録手段の登録内容を参照し、該参照の結果、予め登録されている上記メールアドレスと該新たに送信された電子メールの送信先メールアドレスとが一致する場合に、該メールアドレスを送信元とする受信メールのうち少なくとも未返信のものを上記記憶手段から抽出し画面表示させる制御手段と、
を備えた構成を特徴とする情報端末装置。
【請求項２】
上記制御手段は、上記受信メールの抽出のとき、上記設定情報の登録の有無を判別し、該判別の結果、設定情報の登録がある場合は、該設定情報が登録された電子メールと未返信電子メールとを上記記憶手段から抽出し、設定情報の登録がない場合は、未返信電子メールだけを抽出する構成である請求項１に記載の情報端末装置。
【請求項３】
上記制御手段は、上記抽出した受信メールを画面に一覧表示させ、該表示させた受信メールのうち選択されるものに対して返信メール作成プログラムを起動させる構成である請求項１または請求項２に記載の情報端末装置。
【請求項４】
情報端末装置における電子メールの送受信を管理する電子メール管理方法であって、
メール送信処理後に、予め登録されているメールアドレス及び該メールアドレス毎の設定情報を参照して、予め登録されている上記メールアドレスと該新たに送信された電子メールの送信先メールアドレスとが一致するか否かを判別する第１のステップと、
上記判別の結果、上記両メールアドレスが一致する場合に、該メールアドレスを送信元とする受信メールのうちから少なくとも未返信のものを抽出する第２のステップと、
上記抽出した受信メールを表示する第３のステップと、
を経て、電子メールを管理することを特徴とする電子メール管理方法。
【請求項５】
上記第１のステップでは、上記設定情報の登録の有無を判別し、上記第２のステップでは、上記判別の結果、設定情報の登録がある場合は、未返信電子メールと併せ、該設定情報が登録された電子メールを抽出し、設定情報の登録がない場合は、未返信電子メールだけを抽出する請求項４に記載の電子メール管理方法。
【請求項６】
情報端末装置における電子メールの送受信を管理する電子メール管理用プログラムであって、
ＣＰＵに、
メール送信処理後に、予め登録されているメールアドレス及び該メールアドレス毎の設定情報を参照する手順と、
上記参照の結果、予め登録されている上記メールアドレスと該新たに送信された電子メールの送信先メールアドレスとが一致するか否かを判別する手順と、
上記判別の結果、上記両メールアドレスが一致する場合に、該メールアドレスを送信元とする受信メールのうちから少なくとも未返信のものを抽出する手順と、
上記抽出した受信メールを表示部に表示させる手順と、
を実行させることを特徴とする電子メール管理用プログラム。
【発明の詳細な説明】
【技術分野】
【０００１】
本発明は、電子メール（以後単にメールと言う）の送受信機能を備えた情報端末装置に係り、特に、メールの返信忘れを防止するための技術に関する。
【背景技術】
【０００２】
近年、携帯電話機やパソコン等の情報端末装置による電子メールサービスの利用は広く普及し、プライベート、ビジネスに関わらず、さまざまなメールの送受信が頻繁に行われている。一方、携帯電話機などの情報端末装置では、その操作性の点などから、それらの送受信メールは、整理されることなく送受信ボックスなどに放置されていることが多い。例えば、返信が必要なメールが存在していても、受信ボックス内に埋もれてしまい、意識して探さなければ、忘れ去られてしまうことがある。従来の携帯電話機などにおいて、受信メールに対して返信済みか否かの確認をするには、各受信メールに付加された返信済みのマーク等を参照することにより判断することができる。しかしながら、特定のメールアドレスに対する未返信メールを即座に確認することはできない。すなわち、受信ボックスに格納されているメールに対して、送信者が特定のアドレスであるメールでソートを行い、その中から未返信メールを探すという操作が必要となる。
【０００３】
上記不都合を改善するための従来技術としては、例えば、特開２００１−１１７８３１号公報（特許文献１）や特開２００１−１４２８０７号公報（特許文献２）に記載されたものがある。特開２００１−１１７８３１号公報には、メールのやりとりを確認したい相手のメールアドレスを検索キーとして入力を行い、その検索メールアドレスと一致する送受信メールを抽出して、過去の送受信履歴を一覧表示するという技術が記載され、また、特開２００１−１４２８０７号公報には、メール作成時に、宛先メールアドレスが一致して、かつ、作成するメールの内容に含まれている所定の情報と一致する情報を含む過去のメールを抽出して、別ウィンドウに表示するという技術が記載されている。
【０００４】
【特許文献１】特開２００１−１１７８３１号公報
【０００５】
【特許文献２】特開２００１−１４２８０７号公報
【発明の開示】
【発明が解決しようとする課題】
【０００６】
上記従来技術では、特定のメールアドレスを設定し、そのメールアドレスからの受信メール及び、そのメールアドレスへの送信メールの履歴一覧を参照することができる構成であるが、特定アドレスに対する未返信メールを参照する場合には、送信者が意識して過去の受信メールの履歴一覧から未返信メールを検索しなければならず、また返信が必要なこと自体が忘れられてしまうおそれがある。また、上記特許文献２記載の技術は、作成したメールに含まれる情報（文字、例えば「Ａ社訪問」）をキーワードとして過去のメールを検索し、情報（文字、例えば「Ａ社訪問」）と合致したメールを一覧表示するものであるため、返信メールを作成する意志をもって情報（文字、例えば「Ａ社訪問」）を入力しない限りメールの一覧表示はされず、返信が必要なことを利用者が忘れてしまったメールの返信に対しては有効ではないと考えられる。
本発明の課題点は、上記従来技術の状況に鑑み、情報端末装置において、メールの返信忘れを確実に防止できるようにすることである。
本発明の目的は、上記課題点を解決し、使い勝手の良い情報端末装置を提供することにある。
【課題を解決するための手段】
【０００７】
上記課題点を解決するために、本発明では、情報端末装置のメール送信処理後に、予め登録されているメールアドレス及び該メールアドレス毎の設定情報を参照して、該予め登録されている上記メールアドレスと該新たに送信された電子メールの送信先メールアドレスとが一致するか否かを判別し、該判別の結果、該両メールアドレスが一致する場合に、記憶されている該メールアドレスを送信元とする受信メールのうちから、少なくとも未返信のものを抽出して表示する。上記設定情報としては、返信忘れがないかどうかを確認するためのマーキングを含め、利用者にとって重要な連絡相手のメールアドレスを識別するためのマーキングなどを付す。また、上記受信メールの抽出にあたっては、上記設定情報の登録の有無を判別し、登録がある場合は、該設定情報が登録された電子メールと未返信電子メールとを抽出し、設定情報の登録がない場合は、未返信電子メールだけを抽出する。抽出した電子メールは画面表示される。画面表示された受信メールから選択されるものに対しては返信メール作成プログラムを起動する。
具体的には、上記を基本的構成要件とした情報端末装置、その電子メール管理方法及び電子メール管理用プログラムを本発明として提案する。
【発明の効果】
【０００８】
本発明によれば、受信メールの返信忘れを防止することができる。また、返信メールの作成を速やかに行うことが可能となる。
【発明を実施するための最良の形態】
【０００９】
以下、本発明の実施例につき、図面を用いて説明する。
図１は、本発明の情報端末装置の実施例としての携帯電話機の構成例を示す図である。
図１において、携帯電話機は、制御手段としてのＣＰＵ（Ｃｅｎｔｒａｌ  Ｐｒｏｃｅｓｓｉｎｇ  Ｕｎｉｔ）１、記憶手段及び設定情報登録手段としてのＲＡＭ（Ｒａｎｄｏｍ  Ａｃｃｅｓｓ  Ｍｅｍｏｒｙ）２、ＲＯＭ（Ｒｅａｄ  Ｏｎｌｙ  Ｍｅｍｏｒｙ）３、送受信部４、操作部５、表示部６、スピーカ７及びマイク８を備えて構成される。操作部５は、例えば、０から９の数字や＊、＃等から成るキーパッドなどの入力装置を備え、利用者から数字、記号、文字の入力やカーソル移動、オンフック、オフフックなどを受付ける。表示部６は、カラーディスプレイ等を備え、利用者に対して視覚情報の表示を行う。ＣＰＵ１は、ＲＯＭ３に格納されたプログラムを実行して、携帯電話機の制御を行う。例えば、マイク８または操作部５より入力された利用者の音声またはデータを、送受信部４を経由して送信させたり、逆に，送受信部４を経由して受信した音声またはデータを、スピーカ７または表示部６から出力させたりする。ＲＡＭ２には、メール送受信データや各設定登録内容などが記憶され、プログラム処理を実行するときのワークエリアメモリとしても活用される。
【００１０】
図２は、ＲＡＭ２の内容の説明図である。
図２において、ＲＡＭ２の記憶エリアは、設定登録情報エリア２１、送信メールエリア２２、受信メールエリア２３、一覧エリア２４、ワークエリア２５の各記憶エリアから構成される。送信メールエリア２２には、過去に送信したメールが、送信先アドレス、送信日時、件名、本文などの項目毎に格納される。受信メールエリア２３には、過去に受信したメールが、図３に示すように、Ｎｏ（ナンバー）、返信有無、マーキング有無、受信日時、送信元アドレス、件名及び本文の各項目毎に記憶される。Ｎｏの項目は、各メール毎に他のメールと重複しない数字が振られており、各メールを特定することができるようになっている。返信有無の項目は、返信済みのメールに対しては「１」が、未返信のメールには「０」が記憶される。マーキング有無の項目は、受信したメールに対して利用者が予めマーキングをすることができるメールシステムにおいて有効な項目であり、返信は行ったがさらに連絡をしなければならないメールや重要なメールに対して利用者が必要に応じてマーキングを施すことができる。マーキングをしているメールには「１」が、マーキングをしていないメールには「０」が記憶される。本実施例は、該マーキング機能を有しているメールシステムであるものとして、以下説明する。
【００１１】
図４、図５は、設定情報登録手段としてのＲＡＭ２による一覧表示の説明図である。図４は、ＲＡＭ２の設定登録情報エリア２１に登録されたメールアドレス及び該メールアドレス毎の設定情報の一覧表示画面例を示す。該登録されたメールアドレスが、未返信メールの表示対象となる。
図４において、列４１は登録番号を示し、列４３は登録されたメールアドレスを示す。列４２は、未返信メールとして一覧表示する際に抽出するメールの条件（後述）に、受信メールにマーキングされたメールを含めるか否かを示している。すなわち、チェックボックスがＯＮ（レ記号が付いている場合）であれば含め、ＯＦＦ（レ記号が付いていない場合）であれば含めないことを示す。また、４４は登録数を、４５はスクロールバーを、それぞれ示し、スクロールバー４５は、登録数が画面に収まりきらないときに有効となる。網掛け４６はカーソル位置を示し、図４の例では、カーソル位置がＮｏ．００４にあることを示す。４７、４８にはそれぞれに対応した操作部のキーパッド等が割当てられており、サブメニュー４７を選択することにより、サブメニューから、本機能へのメールアドレスの登録、削除等が可能である。図４の画面において設定登録された内容は、ＲＡＭ２の設定登録情報エリア２１に格納される。
【００１２】
図５は、設定登録情報エリア２１における設定登録内容の格納状態を示す。設定登録情報エリア２１内では、登録アドレス５１、マーキング有無５２の各項目ごとに記憶される。マーキング有無５２の項目は、マーキング４２のチェックボックスがＯＮの場合（レ記号が付いている場合）に「１」が、ＯＦＦの場合（レ記号が付いていない場合）に「０」が記憶される。
【００１３】
図６〜図１２は、本発明の実施例としての携帯電話機の動作説明図である。図６、図１０及び図１２は携帯電話機の画面構成例を示し、図７、図８及び図１１は動作手順のフローチャートを示し、図９は記憶内容を示す。
図６は、送信メール作成の画面例であり、fujiwaraE@hitachi.co.jp宛のメールを示している。
【００１４】
図７は、本発明の実施例としての携帯電話機における動作のメインフローを示す。図７において、ステップＳ７４、ステップＳ７７はそれぞれ、呼び出し関数のかたちで示され、ステップＳ７４の処理内容は図８に、また、ステップＳ７７の処理内容は図１１に示される。
図７において、
（１）先ず、利用者が、作成したメールを送信する（ステップＳ７１）。
（２）ＣＰＵ１は、メールの送信と送信メールの送信メールエリア２２への記憶を行わせ、送信時の宛先メールアドレスをワークエリア２５に記憶させる（ステップＳ７２）。このとき記憶した宛先メールアドレスを、例えばメールアドレスＡとする。本実施例の場合、ステップＳ７２にてワークエリア２５に記憶された宛先メールアドレス（メールアドレスＡ）は、fujiwaraE@hitachi.co.jpとなる。
（３）ＣＰＵ１は、設定登録情報エリア２１を参照し、上記ステップＳ７２にて記憶している宛先メールアドレス（メールアドレスＡ）が、登録アドレス５１に含まれるか否かを判別する（ステップＳ７３）。
（４）上記ステップＳ７３の判別の結果、メールアドレスＡが、登録アドレス５１に含まれる場合は、ＣＰＵ１はメール抽出処理を行う（ステップＳ７４）。
（５）上記ステップＳ７３の判別の結果、メールアドレスＡが、登録アドレス５１に含まれない場合は、ＣＰＵ１は、表示部６に未返信メールの一覧表示は行わず、処理を終了させる（ステップＳ７６）。
【００１５】
上記ステップＳ７４のメール抽出処理（Ｓ７４）の内容については、以下、図８を用いて説明する。
（６）上記ステップＳ７４における判別の結果、宛先メールアドレス（メールアドレスＡ）が登録アドレス５１に含まれていれば、ＣＰＵ１は、宛先メールアドレス（メールアドレスＡ）をキーに、受信メールを絞り込む（ステップＳ８１）。すなわち、受信メールエリア２３の送信元アドレス３２の項目が、宛先メールアドレス（メールアドレスＡ）に一致するメールを抽出してワークエリア２５に記憶させる。このとき記憶したメール群を、例えばメールテーブルＡとする。
（７）次に、ＣＰＵ１は、メールテーブルＡが存在するか否か、すなわち送信元アドレス３２がメールアドレスＡである受信メールが存在するか否かを判別する（ステップＳ８２）。
（８）上記ステップＳ８２における判別の結果、送信元アドレス３２がメールアドレスＡである受信メールが存在しない場合は、ＣＰＵ１は、未返信メール一覧を表示部６に表示させずに処理を終了させる。
（９）上記ステップＳ８２における判別の結果、送信元アドレス３２がメールアドレスＡである受信メールが存在する場合は、ステップＳ８３に進み、ＣＰＵ１は、上記ステップＳ７２にてワークエリア２５に記憶されている宛先メールアドレス（メールアドレスＡ）をキーにして、設定登録情報エリア２１を参照し、メールアドレスＡのマーキング有無５２の項目が有効（＝マーキング有り）か無効（＝マーキング無し）かを判別する（ステップＳ８３）。
（１０）上記ステップＳ８３における判別の結果、マーキング有無５２の項目が「１」すなわち「マーキング有り」であれは、ステップＳ８４へ進み、ＣＰＵ１は、上記ステップＳ８１にてワークエリア２５に記憶したメールテーブルＡを参照し、メールテーブルＡより、返信有無の項目が「０」（無し）のメールと、返信有無の項目が「１」（有り）でかつマーキング有無の項目が「１」（有り）のメールを抽出してワークエリア２５に記憶させる（ステップＳ８４）。すなわち、未返信メールとマーキングされた受信メールを抽出する。
【００１６】
（１１）上記ステップＳ８３における判別の結果、マーキング有無５２の項目が「０」すなわち「マーキング無し」であれは、ステップＳ８５へ進み、ＣＰＵ１は、上記ステップＳ８１にてワークエリア２５に記憶したメールテーブルＡを参照し、メールテーブルＡより、返信有無の項目が「０」（無し）のメールを抽出してワークエリア２５に記憶させる（ステップＳ８５）。すなわち、未返信メールのみ抽出する。
（１２）次に、ＣＰＵ１は、上記ステップＳ８４またはステップＳ８５にてワークエリア２５に記憶させたメールを所定の条件で並べ替える（ステップＳ８６）。
（１３）ＣＰＵ１は、上記並べ替えたメールを一覧エリア２４に記憶させる（ステップＳ８７）。本実施例の場合には、図３、図５より、一覧エリア２４は図９のようになる。ステップＳ８６での所定の条件とは、例えば、返信有無やマーキング有無や件名や日時でのソート処理のことを示す。図９では受信日時でソートした例を示している。
（１４）次に、メール格納処理（ステップＳ８７）までの過程を終了したら、次の処理に進む。すなわち、ＣＰＵ１は、上記ステップＳ８７にて一覧エリア２４に記憶させたメールを、未返信メール一覧として表示部６に表示させる（図７のステップＳ７５）。
以上のような処理を経て、未返信メール一覧を画面表示して利用者に知らせる。
【００１７】
図１０は、未返信メール一覧の画面構成例を示す。
図１０において、１０１は未返信メールの送信元アドレス、１０２は番号、１０４、１０６はそれぞれ、該当メールの受信日と件名、１０５はメール件数を示す。１０３は、未返信メールまたはマーキングメールの種別を示し、上記ステップＳ７４（図７）のメール抽出処理において未返信メールとして抽出されたメールであるか、マーキングメールとして抽出されたメールであるかを明示している。すなわち、一覧エリア２４の返信有無９２とマーキング有無９３を参照し、未返信メール（返信有無９２が「０」）として抽出されたメールには「未」を、マーキングメール（マーキング有無９３が「１」）として抽出されたメールには「マ」をそれぞれ明示して判別可能にしている。
【００１８】
図１１は、ステップＳ７５（図７）にて未返信メール一覧を表示した後の処理すなわち一覧表示からの返信処理（ステップＳ７７（図７））の動作説明図である。
図１１において、
（１）ＣＰＵ１は、上記図１０のような未返信メール一覧を表示させた後に、任意のメールに対し、利用者から返信が指示されたか否かを判別する（ステップＳ１１１）。
（２）利用者から返信が指示されず、予め任意に割当てられたキーパッドなどより利用者から、画面一覧表示キャンセルの指示を受付けた場合には、ＣＰＵ１は、一覧表示画面を閉じて処理を終了させる。
（３）一方、未返信メール一覧の中から、利用者からの任意のメールに対しての返信の指示を受付けた場合には、ＣＰＵ１は、一覧エリア２４の選択されたメールを元に、返信メール作成画面を表示させる（ステップＳ１１２）。このとき選択されたメールを、例えばメールＡとする。図１２は返信メール作成画面例を示す。図１２において、返信メール作成画面は、件名に「Ｒｅ：」を付加し、本文を引用している。本図１２は、図１０における００３（図９におけるＮｏ９１の数字が「５」）のメールが選択された場合の例を示す。
（４）ＣＰＵ１は、上記ステップＳ１１２で作成されたメールに対し、送信の指示がされたか否かを判別する（ステップＳ１１３）。
（５）上記ステップＳ１１３における判別の結果、送信の指示がされた場合には、ＣＰＵ１は、上記作成されたメールを送信する（ステップＳ１１４）。すなわち、返信メール送信の指示を利用者から受付けた場合には、ＣＰＵ１は、メールの送信を行わせ、一覧エリア２４の選択された送信メール（メールＡ）のＮｏ９１の数字をワークエリア２５に記憶させる。このとき記憶した数字を、例えば数字Ａとする。ＣＰＵ１は、該数字Ａをキーに、受信メールエリア２３を参照して、図３におけるＮｏ３１の数字が数字Ａと一致する受信メールを検索し、そのメールの返信有無の項を「１」（有り）に更新する。
【００１９】
（６）上記ステップＳ１１３における判別の結果、送信の指示がされない場合には、ＣＰＵ１は処理を終了させる。すなわち、返信メール作成画面において、利用者からの、画面表示キャンセルすなわち返信メール作成のキャンセルの指示を受付けた場合には、ＣＰＵ１は処理を終了させる。
（７）次に、図７におけるステップＳ７１の後の処理へと進み、ステップＳ７２以降において、ＣＰＵ１は、上記ステップＳ１１４にて送信したメール（メールＡ）に対しての未返信メール一覧表示処理を再度実行する。すなわち、利用者が未返信メール一覧より任意のメールを選択して返信処理を行った後には、表示内容が更新された未返信メール一覧表示画面を再度表示させる。なお、携帯電話機電源投入時には、一覧エリア２４とワークエリア２５の領域はクリアし、また、ステップＳ７６のタイミングでは、ワークエリア２５の領域はクリアし、ステップＳ１１４終了時のタイミングでは一覧エリア２４の領域はクリアし、ステップＳ１１１とステップＳ１１３がそれぞれＮＯのタイミングでは、一覧エリア２４とワークエリア２５の領域をクリアする。
【００２０】
上記図７、図８及び図１１に示す動作のうちＣＰＵ１が行う動作は、予め設定されているプログラムにより、該ＣＰＵ１が該動作の手順を実行することで行われる。該プログラムはＲＯＭ３に記憶されている。
【００２１】
上記本発明の実施例によれば、メール送信処理後に、送信先宛先に対する過去の受信メールを一覧表示することができ、利用者に対し、返信が必要なメールが未返信のまま放置されていないかを認識させることが可能となる。この結果、受信メールの返信忘れを防止することができる。また、表示された受信メールを選択することにより返信メール作成画面が表示され、速やかに返信メールの作成を行うことができる。
【００２２】
上記実施例では、図７のステップＳ７２における宛先メールアドレスが１つの場合すなわち送信先が１人の場合としたが、本発明はこれに限定されない。例えば、ステップＳ７２において複数の宛先メールアドレスが存在する場合には、ステップＳ７２の時点で、ワークエリア２５に複数のメールアドレスを記憶させ、該記憶させたメールアドレスを元に、まずは、１つ目の宛先メールアドレスを対象にステップＳ７３〜Ｅｎｄの処理動作を行わせる。次に、記憶させたメールアドレスの２つ目の宛先メールアドレスを対象にステップＳ７３〜Ｅｎｄの処理動作を行わせる。３つ目以降の宛先メールアドレスについても同様の処理動作を行わせる。また、上記実施例では、情報端末装置が携帯電話機の場合につき述べたが、本発明はこれに限定されず、情報端末装置としては、例えば、パーソナルコンピュータやＰＤＡなどをはじめとする情報処理装置や携帯情報端末などであってもよい。
【図面の簡単な説明】
【００２３】
【図１】本発明の実施例としての携帯電話機の構成例を示す図である。
【図２】図１の携帯電話機のＲＡＭのメモリエリアを示す図である。
【図３】図２のメモリエリアの受信メールエリアの内容を示す図である。
【図４】図１の携帯電話機における一覧表示設定登録画面例を示す図である。
【図５】図１の携帯電話機における設定登録情報エリアの内容を示す図である。
【図６】図１の携帯電話機における送信メール作成画面例を示す図である。
【図７】図１の携帯電話機における動作のメインフローを示す図である。
【図８】図７のメール抽出処理の内容を示す図である。
【図９】図２のメモリエリアの一覧エリアの内容を示す図である。
【図１０】図１の携帯電話機における未返信メール一覧表示の画面構成例を示す図である。
【図１１】図１の携帯電話機における一覧表示からの返信処理動作を示す図である。
【図１２】図１の携帯電話機における返信メール作成画面例を示す図である。
【符号の説明】
【００２４】
１…ＣＰＵ、
２…ＲＡＭ、
３…ＲＯＭ、
４…送受信部、
５…操作部、
６…表示部、
７…スピーカ、
８…マイク。
【図１】
2005258790.tif 000003
【図２】
2005258790.tif 000004
【図３】
2005258790.tif 000005
【図４】
2005258790.tif 000006
【図５】
2005258790.tif 000007
【図６】
2005258790.tif 000008
【図７】
2005258790.tif 000009
【図８】
2005258790.tif 000010
【図９】
2005258790.tif 000011
【図１０】
2005258790.tif 000012
【図１１】
2005258790.tif 000013
【図１２】
2005258790.tif 000014